(57)【要約】【課題】  従来の補聴器の形状はポケットタイプや、挿耳型、耳掛型が主流だが、耳に収納、または耳に掛けるものは小型・軽量化するために機構が複雑になり、高額かつ故障も発生しやすく、更にハウリングも起こしやすい。また、ポケットタイプは胸ポケットでの安定が悪く運動時に脱落しやすい。さらに、寒冷時に上着を着た場合、集音力は減衰し、感度を上げるとハウリングが起こり、ますます難聴が進行する。更に衣擦れ音が重なり極めて不快である。【解決手段】マイクユニットを手首にリストバンドで装着することで、集音力の減衰を防止し自由な指向性と操作性の確保を提供することを課題とする。【選択図】図１
2006246094.tif 000002
【特許請求の範囲】
【請求項１】
集音部、処理部、出力部で構成されている補聴器において、前記集音部を手首にバンドで装着することを特徴とする補聴器
【請求項２】
前記集音部を内蔵するマイクユニットを手首にバンドで装着し、ケーブルでレシーバーユニットに音声を伝送することを特徴とする請求項１記載の補聴器。
【請求項３】
前記集音部を内蔵するマイクユニットを手首にバンドで装着し、無線でレシーバーユニットに音声を伝送することを特徴とする請求項１記載の補聴器。
【発明の詳細な説明】
【技術分野】
【０００１】
本発明は、集音部を手首にバンドで装着する補聴器に関する。
【背景技術】
【０００２】
従来の補聴器の形状は、外耳道内に挿入可能にした小型ケース内に、マイクと増幅回路部と駆動用電池とスピーカーとを一体に組み込んで構成した耳穴型と、マイクと増幅回路部と駆動用電池とスピーカーとを、耳介の後側に沿って当接する湾曲形状にした本体ケース内に収め、本体ケースに、耳介に掛かる短い音導チューブを介してイヤホンを取り付けた耳掛型と、マイクと増幅回路部と駆動用電池とを、ポケット等に収納される箱型の本体部に組み込み、この本体部に耳まで延びるケーブルを介してイヤホンを取り付けたポケット型がある。
【０００３】
耳穴型の補聴器は小型軽量で目立たないという利点がある反面、スピーカーと集音のためのマイクとが１つの小さなケース内に収められ、且つ、両者が極めて近接することになるために、スピーカーから出た音をマイクが拾いやすく、その結果ハウリングを起こしやすいという欠点がある。更に機器が外耳道内に挿入されているため、状況によってボリュームを調整する操作性が悪い。
【０００４】
耳掛型の補聴器は、その形態上、装着していることが目立つ上、補聴器以外のものには見えないため使用していることを他人に知られたくない人にとっては、人前での使用は敬遠せざるを得ないという欠点がある。更に耳に掛けるという形態上、激しい運動では脱落しやすく、且つ多くの重量が耳介の後側に常に存在するため不快である。
【０００５】
ポケット型の補聴器は、胸ポケットでの安定が悪く運動時に脱落しやすい。更に、必ずしも胸にポケットが付いている服ばかりでないため、服装が限定されるし、寒冷時に上着を着た場合、集音力は減衰し、感度を上げるとハウリングが起こり、ますます難聴が進行する上、衣擦れ音が重なり極めて不快である。
【０００６】
【特許文献１】特許公開平１０−６６１９６号公報
【特許文献２】特許公開平９−２１５０９８号公報
【特許文献３】特開２００３−３０９９００号公報
【発明の開示】
【発明が解決しようとする課題】
【０００７】
本発明は、ハウリングの発生可能性を縮小し、マイクユニットの固定性を高め、集音力の減衰を防止し、且つ集音時に自由な指向性の確保を図り、更にボリュームや電源スイッチの操作性の向上を提供する補聴器を実現することを課題とする。
【課題を解決するための手段】
【０００８】
以上の課題を解決するために、本発明は、集音部を手首にバンドで装着することを特徴とする補聴器である。
【０００９】
また、マイクユニットを手首にバンドで装着し、ケーブルでレシーバーユニットに音声を伝送することを特徴とする補聴器である。
【００１０】
さらに、マイクユニットを手首にバンドで装着し、無線でレシーバーユニットに音声を伝送することを特徴とする補聴器である。
【発明の効果】
【００１１】
本発明によれば、マイクユニットを手首に装着したため、マイクとレシーバーの距離が遠くなり、ハウリングが起こりにくい。また、ハウリングが起こっても手首の向きを変化させるだけで、ハウリングを容易に解消できる。
【００１２】
マイクユニットが手首にバンドで固定されていることにより、その固定性が増加し激しい運動時でも脱落しない上、手首の特性上、長時間の装着にも違和感が少ない。
【００１３】
マイクユニットを手首に装着することでマイク部分が常に露出されることとなり集音力が減衰することがない。且つ、テレビの視聴や、会議の席など特定の音源に集中したい場合でも、その方向に手を持って行けば指向性が高まり集音力は更に向上する。  
【００１４】
マイクユニットを手首に装着することで電源スイッチやボリュームの操作性が格段に向上するため、音源の種類や環境によってこまめに集音レベルを調整できるため、常に快適な音量で聴取することができる。
【００１５】
また請求項３によれば、マイクユニットとレシーバーユニットを無線で繋ぐことによって装着がより容易になる。マイクユニットを常に手首に装着して、レシーバーユニットを必要に応じて装着することも容易になる。
【００１６】
高額なマイクユニットは手首にバンドで固定されているため紛失の危険は殆どないがレシーバーユニットは紛失の可能性がある。しかしレシーバーユニットをスペアパーツとして販売すれば、紛失時にも安価に対応できる。  
【発明を実施するための最良の形態】
【００１７】
本発明の一実施形態を、図１に示す。
補聴器のマイクユニット１は、この構成で最も重要な役割を持っている集音部５としてのマイクは絶対必要な要素である。更に増幅器、音質調整器、出力制限装置、電池、ボリューム、電源スイッチ等で構成される。
【００１８】
補聴器のレシーバーユニット２は通常の片耳イヤホンが考えられるが、両耳を覆うレシーバー型を装着するものでも良い。
【００１９】
補聴器のバンド３は様々な材質・形状が考えられる。ドレッシーな皮製やスポーティーな化学合成素材など状況に応じて取り替えながら使用することも可能である。
【００２０】
補聴器のケーブルは、今後開発される有線ケーブルの中で最適なものを利用できる。
【００２１】
請求項３に基づいてマイクユニット１とレシーバーユニット２を無線４で繋いだ場合は、マイクユニット１に無線送信機、レシーバーユニット２に無線受信機の増設が必要となる。この無線４は特段電波に拘泥することはなく、赤外線など今後開発されるあらゆる有線ではない伝送手段の中で最適なものを利用できる。
【００２２】
マイクユニット１の外部ハウジングに時計を併置すれば、実用的にも、美的にも有効であり、補聴器の装着を躊躇する人にも十分に訴求できる。
【００２３】
図１では、マイクユニット１とリストバンド３をそれぞれ別個の部品として図示しているが、マイクユニット１に搭載されている構成要素をリストバンド３に埋め込むことによって、マイクユニット１自体の大きさを縮小することが可能になり、実用的、美的に優れた製品の開発が可能になる。
【図面の簡単な説明】
【００２４】
【図１】本発明の一実施形態を示す図である。
【符号の説明】
【００２５】
１マイクユニット
２レシーバーユニット  
３リストバンド    
４ケーブルまたは無線
５集音部
【図１】
2006246094.tif 000003